(57)【要約】【課題】  変化に富んだゆらぎのある光を発生させることができる天井構造並びにこの天井構造を有する住宅、及び住宅展示物を提供する。【解決手段】天井構造は、上部空間から下部空間に連通する開口部と、前記開口部を覆うように上部空間の床面に設置され、少なくとも底面が光透過性を有する水槽と、該水槽内に貯留する液体の中を能動的に浮遊動作する浮遊体と、上方から水槽に光を照射する照射手段と、を備える。また、住宅及び住宅展示物は上述の天井構造を備える。【選択図】図１
2014062421.tif 000002
【特許請求の範囲】
【請求項１】
上部空間から下部空間に連通する開口部と、
前記開口部を覆うように上部空間の床面に設置され、少なくとも底面が光透過性を有する水槽と、
該水槽内に貯留する液体の中を能動的に浮遊動作する浮遊体と、
上方から水槽に光を照射する照射手段と、
を備えることを特徴とする天井構造。
【請求項２】
前記照射手段は発光する照明装置であることを特徴とする請求項１に記載の天井構造。
【請求項３】
前記照射手段は太陽光を前記水槽に導入する天窓であることを特徴とする請求項１に記載の天井構造。
【請求項４】
前記開口部は複数設けられるものであり、
前記水槽は複数の前記開口部を覆うことを特徴とする請求項１から請求項３のいずれかに記載の天井構造。
【請求項５】
複数の前記開口部は互いに異なる形状又は大きさであることを特徴とする請求項４に記載の天井構造。
【請求項６】
請求項１から請求項５のいずれかに記載の天井構造を備えることを特徴とする住宅。
【請求項７】
請求項１から請求項５のいずれかに記載の天井構造を備えることを特徴とする住宅展示物。
【発明の詳細な説明】
【技術分野】
【０００１】
本発明は、天井構造、住宅、及び住宅展示物に関し、特に、居住者等が天井の下側の空間で安らぎを感じることができる天井構造、この天井構造を備える住宅、及びこの天井構造を備える住宅展示物に関する。
【背景技術】
【０００２】
従来より、住宅の主に居室の天井には、その居室の快適性や演出性を高めるべく、様々な種類の照明装置が設けられている。このような照明装置の中には、ＬＥＤ光源の光出射方向前方に設けられる透光性の中空パネルに透光性の液体を入れて当該液体を循環させ、液面を波打たせる照明器具が提案されている（特許文献１）。このように構成すると、液体を透過した光は、液面での屈曲によりゆらぎのある光となる。このようなゆらぎのある光は、居室にいる人に心地よい癒しを与えることができる。
【先行技術文献】
【特許文献】
【０００３】
【特許文献１】特開２０１２−１４６５５９号公報
【発明の概要】
【発明が解決しようとする課題】
【０００４】
ところで、下方から照明器具が設けられた上方を眺めた場合に、単に循環する液体の波が見える構成は単調であり、このような循環する液体の波による光のゆらぎも、単調なものとなる。
【０００５】
そこで、本発明は、変化に富んだゆらぎのある光を発生させることができる天井構造並びにこの天井構造を有する住宅、及び住宅展示物を提供することを目的とする。
【課題を解決するための手段】
【０００６】
請求項１に記載の天井構造は、上部空間から下部空間に連通する開口部と、前記開口部を覆うように上部空間の床面に設置され、少なくとも底面が光透過性を有する水槽と、該水槽内に貯留する液体の中を能動的に浮遊動作する浮遊体と、上方から水槽に光を照射する照射手段と、を備えることを特徴としている。
【０００７】
請求項２に記載の天井構造は、前記照射手段は発光する照明装置であることを特徴としている。
【０００８】
請求項３に記載の天井構造は、前記照射手段は太陽光を前記水槽に導入する天窓であることを特徴としている。
【０００９】
請求項４に記載の天井構造は、前記開口部は複数設けられるものであり、前記水槽は複数の前記開口部を覆うことを特徴としている。
【００１０】
請求項５に記載の天井構造は、複数の前記開口部は互いに異なる形状又は大きさであることを特徴としている。
【００１１】
請求項６に記載の住宅は、請求項１から請求項５のいずれかに記載の天井構造を備えることを特徴としている。
【００１２】
請求項７に記載の住宅展示物は、請求項１から請求項５のいずれかに記載の天井構造を備えることを特徴としている。
【発明の効果】
【００１３】
請求項１に記載の天井構造によると、開口部から下部空間に向けて水槽の底面が露出することになるので、水槽の上方から照射された光が水槽内の液体を透過して下部空間を照射する。このとき水槽内の液体の中には浮遊体が能動的に浮遊動作しているので、浮遊体の浮遊動作によって液体に流れが発生し、液面が波打つことによって、液体を透過して下部空間を照射する光にゆらぎを発生させることができる。また、浮遊動作により位置及び姿勢が変化する浮遊体に当った光も反射して揺らぎを発生することができる。このように液面の波による屈曲の変化と浮遊体に反射する光の変化とによって液体内を透過する光のゆらぎが発生するので、下部空間に向けて照射される光のゆらぎをより変化に富んだものにすることができる。
【００１４】
なお、ここで「能動的に浮遊動作する浮遊体」とは、液面又は液体中で自ら移動するものである。例えば魚などの生物であってもよいし、又は、一定の動作をプログラムされた魚型のロボットのような人工物であってもよい。
【００１５】
請求項２に記載の天井構造によると、照射手段は発光する照明装置であるので、必要に応じて適切な光度で光を照射することができる。
【００１６】
請求項３に記載の天井構造によると、照射手段は太陽光を水槽に導入する天窓であるので、自然な光を照射することができる。
【００１７】
請求項４に記載の天井構造によると、複数の開口部が設けられているので、複数の方向からゆらぎのある光が照射されることになり、下部空間に向けて照射される光のゆらぎをより変化に富んだものにすることができる。
【００１８】
請求項５に記載の天井構造によると、複数の開口部が互いに異なる形状又は大きさであるので、光のゆらぎを更に変化に富んだものにすることができる。
【００１９】
請求項６に記載の住宅によると、上述の効果を有する天井構造を備えた住宅とすることができるので、この天井構造を備えている空間を安らぎのある空間とすることができる。
【００２０】
請求項７に記載の住宅展示物によると、上述の効果を有する天井構造を備えた住宅展示物とすることができるので、住宅展示物を見学する人に安らぎのある空間を提案することができる。
【図面の簡単な説明】
【００２１】
【図１】天井構造及び天井構造を有する居室を説明する斜視図。
【図２】天井構造及び天井構造を有する居室を説明する断面図。
【図３】変形例としてそれぞれの開口部毎にそれぞれ水槽を設けた天井構造及び天井構造を有する居室を説明する斜視図。
【図４】変形例として照射手段が天窓である天井構造及び天井構造を有する居室を説明する断面図。
【発明を実施するための形態】
【００２２】
以下、各図を参照しつつ、本発明の天井構造１及びこの天井構造１を備える住宅２並びに住宅展示物の最良の実施形態について、各図を参照しつつ説明する。図１及び図２に示すように、天井構造１は、上部空間３から下部空間４に連通する開口部５と、開口部５を覆うように上部空間３の床面６に設置される水槽７と、水槽７内に貯留する液体８の中を能動的に浮遊動作する浮遊体９と、上方から水槽７に光を照射する照射手段１０と、を備える。
【００２３】
本実施形態においては上部空間３は小屋裏であり、下部空間４は小屋裏の下の和室である。なお、上部空間３及び下部空間４はこれに限定されるものではなく、例えば上部空間３が上階の居室で下部空間４が下階の居室であってもよい。また、下部空間４は居室に限られるものではなく、図示しないが廊下や玄関ホールその他の空間であってもよい。
【００２４】
開口部５は、上部空間３の床と下部空間４の天井とを貫通して、上部空間３と下部空間４とを連通させたものであり、異なる大きさの２つの円形に開けられた孔である。開口部５の形状は円形に限られるものではなく、四角形であってもよいし、例えば星型やハート型のような図形に形成されていてもよい。また天井構造１の開口部５の数は２つに限定されるものではなく、１つ又は３つ以上の開口部５が設けられるものであってもよい。
【００２５】
水槽７は、本実施形態においてはアクリル板などの透明な樹脂により形成された直方体形状である。水槽７は上部空間３の床面６に載置したときに２つの開口部５を完全に覆うことができる大きさである。なお、水槽７の形状はこれに限定されるものではなく、例えば図３に示すように、有底の円筒形状に形成されたものであってもよい。また、複数の開口部５がある場合に、１つの水槽７が全ての開口部５を覆うものである必要は無く、開口部５毎に当該開口部５を覆う水槽７が設けられていてもよい。
【００２６】
水槽７は、少なくとも底面が光透過性を有しているものであればよく、側面を光を透過しない樹脂で形成していてもよい。また、本実施形態においては水槽７の上部は開放しているが、水槽７の上部に透明な蓋体を設けてもよい。このように構成すると、水槽７内の液体８の乾燥を抑制し、また、小屋裏等の上部空間３の湿度が高まることを抑制することができる。
【００２７】
水槽７内に貯留する液体８は例えば水であるが、液体８内を浮遊動作する浮遊体９に応じて好ましい液体８を選択することができる。浮遊体９は、例えば金魚などの淡水魚である。浮遊体９は海水魚等の他の魚類であっても良く、また一定の動作をプログラムされた魚型ロボットのような人工物であってもよい。なお、浮遊体９が生物である場合は、図示しないが、エアーポンプやヒーターなどの生物に応じて必要な装置を設ける。また、浮遊体９のほかに光の透過を妨げない程度に水草や底石などを水槽７内に配置してもよい。また、浮遊体９が人工物である場合には水槽７に貯留する液体８は水でなくてもよいが、少なくとも光を透過する液体８であることが必要である。
【００２８】
照射手段１０は例えばＬＥＤ照明装置１０ａである。この照射手段１０は、例えば小屋裏に設けられた水平材に固定されており、図示しないが住宅２の電気配線に接続されており、下部空間４の居室内にＯＮ・ＯＦＦを切り替えるスイッチが設けられている。ＬＥＤ照明装置１０ａは他の照射手段１０を用いた場合に比べて照射面の温度変化が少なく、水槽７内の温度に影響が少ないので、特に水槽７内に浮遊体９として生物を浮遊動作させる場合には、温度管理がしやすく好適である。なお照射手段１０はＬＥＤ照明装置１０ａに限られるものではなく、例えば、白熱灯や蛍光灯その他の光源であってもよい。また、これらの照明装置に調光機能を採用することで、必要に応じて又は自動的に光度を変化させて、下部空間４に照射される光を調節することもできる。
【００２９】
また照射手段１０は、図４に示すように太陽光を水槽７に導入する天窓１０ｂであってもよい。天窓１０ｂからの光を水槽７を通して下部空間４に照射することで、より自然な光とすることができる。太陽光は時間の経過により角度が変わり、また天候によって下部空間４の照度が大きく変化するので、より変化に富んだ光とすることができる。
【００３０】
以上のように天井構造１を構成することで、水槽７の上方から照射された光が水槽７内の液体８を透過して下部空間４を照射したときに水槽７内の液体８の中には浮遊体９が能動的に浮遊動作しているので、浮遊体９の浮遊動作によって液体８に流れが発生し、液面が波打つことによって、液体８を透過して下部空間４を照射する光にゆらぎを発生させることができる。また、浮遊動作により位置及び姿勢が変化する浮遊体９に当った光も反射して揺らぎを発生することができる。このように液面の波による屈曲の変化と浮遊体９に反射する光の変化とによって液体８内を透過する光のゆらぎが発生するので、下部空間４に向けて照射される光のゆらぎをより変化に富んだものにすることができる。
【００３１】
なお、本発明の実施の形態は上述の形態に限ることなく、本発明の思想の範囲を逸脱しない範囲で適宜変更することができることは云うまでもない。
【産業上の利用可能性】
【００３２】
本発明に係る天井構造１、住宅２、及び住宅展示物は、例えば和室の天井として好適に用いることができる。
【符号の説明】
【００３３】
１      天井構造
２      住宅
３      上部空間
４      下部空間
５      開口部
６      床面
７      水槽
８      液体
９      浮遊物
１０    照射手段
１０ａ  ＬＥＤ照明装置（照明装置）
１０ｂ  天窓
【図１】
2014062421.tif 000003
【図２】
2014062421.tif 000004
【図３】
2014062421.tif 000005
【図４】
2014062421.tif 000006